(57)【要約】【課題】非常時の携行に適し、非常時に必要な機能を備えた非常用鞄を提供する。【解決手段】本発明の実施形態に係る非常用鞄１は、照明装置２０と、照明装置２０に供給する電気を蓄えておく蓄電装置３０と、蓄電装置３０に蓄電する電気を生成する発電装置４０と、照明装置２０、蓄電装置３０及び発電装置４０を収納する鞄本体１０とを備える。【選択図】図２
2014026876.tif 000002
【特許請求の範囲】
【請求項１】
物品を収納する収納空間を備えた照明付収納容器であって、
内部に収納空間を設けた収納部と、
前記収納部の外部の一面に装着された照明装置(20)と
を備えており、
前記照明装置(20)を点灯するための駆動電力を供給する外部の蓄電装置(30)と接続することにより、前記照明装置(20)を点灯可能に構成してなることを特徴とする照明付収納容器。
【請求項２】
請求項１に記載の照明付収納容器であって、さらに、
前記照明装置(20)を点灯するための駆動電力を供給する蓄電装置(30)
を備えており、
前記蓄電装置(30)を、前記収納部の収納空間に収納可能に構成してなることを特徴とする照明付収納容器。
【請求項３】
請求項１又は２に記載の照明付収納容器であって、さらに、
蓄電装置(30)に蓄電する電力を生成するための発電装置(40)
を備えており、
発電装置(40)を、前記収納部の収納空間に収納可能に構成してなることを特徴とする照明付収納容器。
【請求項４】
請求項１から３のいずれか一に記載の照明付収納容器であって、
前記照明装置(20)を、前記収納部の一面に着脱自在に固定してなることを特徴とする照明付収納容器。
【請求項５】
非常時持ち出し用の物品を収納するための非常用鞄において、
照明装置(20)と、
前記照明装置(20)に供給する電気を蓄えておく蓄電装置(30)と、
前記蓄電装置(30)に蓄電する電気を生成する発電装置(40)と、
前記照明装置(20)、前記蓄電装置(30)及び前記発電装置(40)を収納する鞄本体(10)と、
を備えることを特徴とする非常用鞄。
【請求項６】
請求項５に記載の非常用鞄であって、
前記照明装置(20)は、前記鞄本体(10)の外側を照らすように前記鞄本体(10)に固定設置されていることを特徴とするの非常用鞄。
【請求項７】
請求項５又は６に記載の非常用鞄であって、
前記発電装置(40)は、折り畳み可能なシート状ソーラーパネルからなる太陽電池(41)を備え、前記鞄本体(10)への収納時に折り畳んだ状態で収納されることを特徴とする非常用鞄。
【請求項８】
請求項５から７のいずれか一に記載の非常用鞄であって、
前記照明装置(20)は、発光体としてＬＥＤ(212)を用いていることを特徴とする非常用鞄。
【請求項９】
請求項５から８のいずれか一に記載の非常用鞄であって、
前記蓄電装置(30)は、前記照明装置(20)以外に直流の電気を供給する直流出力端子(35)を備えることを特徴とする非常用鞄。
【請求項１０】
請求項５から９のいずれか一に記載の非常用鞄であって、
前記蓄電装置(30)は、出力電圧を複数の電圧から選択可能に構成されていることを特徴とする非常用鞄。
【請求項１１】
請求項５から１０のいずれか一に記載の非常用鞄であって、
前記照明装置(20)を、前記鞄本体(10)の一面に着脱自在に固定してなることを特徴とする非常用鞄。
【発明の詳細な説明】
【技術分野】
【０００１】
本発明は、災害発生時等の非常時に持ち出すための非常用鞄に関する。
【背景技術】
【０００２】
近年、津波や震災の影響により、非常時の備えが嘗てないほど重要視されている。一般家庭や職場で、非常時に持ち出すための非常用鞄が常備されるようになり、多くの非常用鞄が市販されている。このような非常用鞄は、軽量で非常時に扱いやすいリュックサック型の物が多い。
【０００３】
非常用鞄に収納しておく物として、常備薬や非常食に加えて、夜間用の照明装置等も数多く市販されている。照明装置の電源としては、乾電池や充電池が使用されている。しかし、乾電池は一度使い切るとそれ以上利用することはできず、充電池も電力供給が遮断される災害時には一度使い切ると利用できなくなってしまう。
【０００４】
このため、手回し式の発電装置を備えたラジオ付き照明装置が提供されており、例えば、下記特許文献１に開示されている。特許文献１に開示された照明装置では、ハンドルの手回しで発電した電気を蓄電池に蓄電し、この蓄電された電気により照明を点灯させることができる。
【先行技術文献】
【特許文献】
【０００５】
【特許文献１】登録実用新案第３０９３５４５号公報
【発明の概要】
【発明が解決しようとする課題】
【０００６】
しかし、手回し式の発電装置では、発電量が非常に小さいため、消費電力の小さな電気機器への給電にしか利用できず、また、装置もある程度大きくて重いため、非常時に携行する非常用鞄に収納する発電装置としては適していない。
【０００７】
本発明は、このような課題に鑑みてなされたものであり、非常時の携行に適し、非常時に必要な機能を備えた非常用鞄を提供することを目的とする。
【課題を解決するための手段】
【０００８】
上記課題を解決するために、本発明に係る非常用鞄は、非常時持ち出し用の物品を収納するための非常用鞄において、照明装置と、前記照明装置に供給する電気を蓄えておく蓄電装置と、前記蓄電装置に蓄電する電気を生成する発電装置と、前記照明装置、前記蓄電装置及び前記発電装置を収納する鞄本体と、を備えることを特徴とする。
【発明の効果】
【０００９】
本発明に係る非常用鞄は、照明装置、蓄電装置及び発電装置を備えることで、非常時に必要な機能を提供でき、非常時の携行に好適である。
【図面の簡単な説明】
【００１０】
【図１】本発明の第一実施形態に係る非常用鞄の斜視図である。
【図２】本発明の第一実施形態に係る非常用鞄の展開斜視図である。
【図３】図１のＡ−Ａ線による垂直断面図である。
【図４】本発明の第一実施形態に係る照明装置の設置状態を示す分解斜視図である。
【図５】本発明の第一実施形態に係る蓄電装置の斜視図である。
【図６】本発明の第一実施形態に係る発電装置の構成を示す斜視図である。
【図７】本発明の第一実施形態に係る非常用鞄の使用態様を示す模式斜視図である。
【図８】本発明の第一実施形態に係る非常用鞄の使用態様を示す模式斜視図である。
【図９】本発明の第一実施形態の変形例１に係る非常用鞄の垂直断面図である。
【図１０】本発明の第一実施形態の変形例１に係る照明装置の設置状態を示す分解斜視図である。
【図１１】本発明の第二実施形態に係る非常用鞄の斜視図である。
【図１２】本発明の第三実施形態に係る非常用鞄の斜視図である。
【図１３】本発明の第四実施形態に係る非常用鞄の斜視図である。
【発明を実施するための形態】
【００１１】
以下、本発明の実施の形態を図面に基づいて説明する。ただし、以下に示す実施の形態は、本発明の技術思想を具体化するための非常用鞄を例示するものであって、本発明は非常用鞄を以下のものに特定しない。また、本明細書においては説明のため、対応する部材の図面の符号を、特許請求の範囲に示される部材に付記している。ただ、特許請求の範囲に示される部材を、実施の形態の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
（第一実施形態）
図１〜図４を参照しながら、本発明の第一実施形態に係る非常用鞄について説明する。図１は、第一実施形態に係る非常用鞄の斜視図である。図２は、第一実施形態に係る非常用鞄の展開斜視図である。図３は、図１のＡ−Ａ線による垂直断面図である。図４は、第一実施形態に係る照明装置の設置状況を示す分解斜視図である。
【００１２】
図１〜図３に示すように、第一実施形態に係る非常用鞄１は、鞄本体１０と、照明装置２０と、蓄電装置３０と、発電装置４０とを備えている。鞄本体１０は、アタッシュケース型の金属筐体からなるハードケースであり、開閉可能に連結された第一筐体１１及び第二筐体１２と、第一筐体１１に設置された取っ手１５とを備えている。
【００１３】
図２等に示すように、第一筐体１１の内側には、蓄電装置３０を収納するための収納ポケット１１１が設置されている。図４等に示すように、第一筐体１１の側面には、照明装置２０を設置するための開口１１３が二つ形成されている。
【００１４】
照明装置２０は、発光体としてＬＥＤ２１２を使用するＬＥＤ照明部材２１と、一方がＬＥＤ照明部材２１に接続され、他方に蓄電装置３０と接続するためのコネクタを有するケーブル２５と、ＬＥＤ２１２から照射される指向性の高い光を拡散する拡散パネル２７とを備え、ＬＥＤ照明部材２１を2個備えている。
【００１５】
ＬＥＤ照明部材２１は10個のＬＥＤ２１２と、10個のＬＥＤ２１２を一列に保持し、各ＬＥＤ２１２に電気を供給するための配線を有する保持基板２１３とを備えている。
【００１６】
第一筐体１１の側面には、保持基板２１３と略同じ大きさの開口１１３が平行に二箇所形成されており、ＬＥＤ照明部材２１は、ＬＥＤ２１２が鞄本体１０の外側に向けて光を照射するように、開口１１３に固定されている。拡散パネル２７は、白色半透明のプラスチック板であり、二つの開口１１３を覆うように第一筐体１１の外側面にネジ留め固定・設置されている。
【００１７】
拡散パネル２７は、開口１１３に設置されたＬＥＤ２１２を保護するカバーパネルとしても機能する。拡散パネル２７としては、例えば、微小なレンズがランダムに多数配置されたレンズ拡散板等を用いることができる。
【００１８】
図５は、第一実施形態に係る蓄電装置の斜視図である。同図に示すように、蓄電装置３０は、蓄電可能な二次電池であるリチウムイオン電池３１と、リチウムイオン電池３１に蓄電された電気を外部の電気機器に供給するための直流出力端子３５及びＵＳＢ（Universal Serial Bus）出力端子３６と、リチウムイオン電池３１に蓄電するための入力端子である充電端子３７とを備えている。
【００１９】
照明装置２０のケーブル２５のコネクタは、この直流出力端子３５に接続される。ここで、蓄電装置３０は、直流の出力電圧を複数の電圧から選択可能に構成されており、外部接続する電気機器の消費電力等に応じて、適宜所定の出力電圧を選択することができる。
【００２０】
図６は、第一実施形態に係る発電装置の構成を示す斜視図であり、図６（ａ）は、発電装置の太陽電池を折り畳んだ状態、図６（ｂ）及び図６（ｃ）は、発電装置の太陽電池を広げていく過程、図６（ｄ）は、発電装置の太陽電池を広げた状態を示している。
【００２１】
同図に示すように、発電装置４０は、折り畳み可能なシート状の折り畳み式太陽電池４１と、太陽電池４１が発電した電気を外部に出力するためのケーブル４５とを備えている。ケーブル４５の先端には、蓄電装置３０の充電端子３７と接続するためのコネクタが設置されている。
【００２２】
太陽電池４１は、12枚のソーラーパネル４１１と、ソーラーパネル４１１を3行×4列に並べた状態で固定・保持する、折り畳み可能なパネル保持シート４１２とを備えている。したがって、パネル保持シート４１２に設置されたソーラーパネル４１１の境界に沿ってパネル保持シート４１２を折り畳むことで、図６に示すように、太陽電池４１を完全に広げた状態から12分の1の大きさに畳むことができる。
【００２３】
このように、折り畳み式の太陽電池４１を使用すれば、発電するときには、ソーラーパネル４１１を大きく広げて発電量を確保しつつ、鞄本体１０への収納時には小さく折り畳んで収納することができる。
【００２４】
なお、本実施形態においては、照明装置２０に関して、ＬＥＤ２１２は定格消費電力が2Wのものを使用し、一つのＬＥＤ照明部材２１の定格消費電力は20Wである。また、蓄電装置３０に関して、容量が18,000mAh、入力がDC19Vで、出力がDC5V（1A）、10.5V（1.5A）、19V(2A)を選択可能なリチウムイオン電池３１を使用している。また、発電装置４０に関して、本実施形態では、出力が30W程度の太陽電池４１を使用した。
【００２５】
もちろん、これらは適宜性能の異なる機器に変更可能である。例えば、蓄電装置３０として、出力電圧を12Vに設定可能な装置を用いれば、ノート側パソコン等の直流駆動可能な電気機器を電圧変換なく利用することができる。
【００２６】
次に、図２を参照しながら、非常用鞄１の収納状態について説明する。収納時には、蓄電装置３０は、鞄本体１０の第一筐体１１の内側に設置された収納ポケット１１１内に収納される。発電装置４０は、太陽電池４１を最小となるように折り畳んだ状態で、同じく鞄本体１０の第一筐体１１内側の収納ポケット１１１の隣に収納される。
【００２７】
このとき、図示しない面ファスナー等の固定具を使って、発電装置４０を第一筐体１１に対して固定するようにすれば良い。また、非常用鞄１の第二筐体１２の内側には、貴重品、常備薬、非常食等の非常時持出品５を収納する。
【００２８】
以上、第一実施形態に係る非常用鞄１の構成について説明したが、続いて、非常用鞄１の使用態様について、さらに、図７及び図８を参照しながら説明する。図７及び図８は、第一実施形態に係る非常用鞄の使用態様を示す模式斜視図であり、図７が照明使用時の使用態様、図８が充電時の使用態様を示している。
【００２９】
まず、非常時に非常用鞄１を照明として使用する場合には、図７に示すように、照明装置２０のケーブル２５のコネクタを蓄電装置３０の直流出力端子３５に接続し、リチウムイオン電池３１に蓄電された電気をＬＥＤ照明部材２１に供給する。そうすると、ＬＥＤ照明部材２１のＬＥＤ２１２が発光し、非常用鞄１の外側を明るく照らす。このとき、ＬＥＤ２１２から照射される指向性の高い光は、拡散パネル２７によって拡散され、広い範囲に照射される。
【００３０】
もちろん、非常用鞄１は、照明装置２０以外の電気機器に電気を供給することもでき、例えば、規格化されたＵＳＢ出力端子３６を利用して、ＵＳＢ経由の充電が可能な携帯電話、スマートフォン、タブレット端末、デジタルカメラ等の電子機器を充電することもできる。
【００３１】
続いて、リチウムイオン電池３１の残量が少なくなり、充電する場合には、図８に示すように、発電装置４０を鞄本体１０から取り出し、屋外の太陽光が当たる場所で12枚のソーラーパネル４１１を大きく広げた状態で設置する。そして、同じく蓄電装置３０を取り出し、発電装置４０のケーブル４５のコネクタを蓄電装置３０の充電端子３７に接続すると、ソーラーパネル４１１で発電した電気がリチウムイオン電池３１に蓄電される。
【００３２】
以上、第一実施形態に係る非常用鞄１について詳細に説明したが、本実施形態によれば、非常時持出品５を収納した非常時鞄１内に照明装置２０、蓄電装置３０及び発電装置４０を装備することで、停電の際に、夜間の照明として使用することができると共に、携帯電話等の電子機器に最低限の電気を供給することができ、非常時の利便性を高めることができる。
【００３３】
また、鞄本体１０をアタッシュケース型のハードケースから構成しているので、非常に堅牢で、非常時に乱暴に取り扱っても故障しにくい、信頼性に優れた非常用鞄１を実現している。また、照明装置２０の発光体としてＬＥＤ２１２を使用しており、低消費電力の照明を実現できると共に、ＬＥＤは長寿命で耐衝撃性に優れるため、非常時の照明として丈夫で優れた機能を提供することができる。
【００３４】
また、本実施形態では、発電装置４０は、折り畳み可能なシート状の太陽電池４１を用いており、小さくて持ち運びに便利な非常用鞄１内に収納可能であり、且つ、大容量の発電を行うことも可能であり、非常時の利便性が高い。
【００３５】
続いて、第一実施形態の変形例１について、図９及び図１０を参照しながら説明する。本変形例１に係る非常用鞄１’は、照明装置２０’の鞄本体１０’への設置位置が上記実施形態と異なるだけであり、その他の構成は同じであるため、異なる構成についてのみ説明する。
【００３６】
本変形例１では、第一筐体１１’にＬＥＤ照明部材２１を設置するための開口は形成されておらず、ＬＥＤ照明部材２１は、第一筐体１１’の外側表面に固定設置されている。なお、照明装置２０’のケーブル２５は、第一筐体１１’に形成された小穴から鞄本体１０’の内部に引き込まれている。
【００３７】
また、拡散パネル２７’は、ＬＥＤ照明部材２１が第一筐体１１’の外側表面に設置されているため、図９に示すように、第一筐体１１’の外側表面から若干浮いた状態で固定されている。本変形例１によれば、上記第一実施形態と同様の作用効果を奏すると共に、第一筐体１１’の加工が最小限で済むため、低コストな非常用鞄１’を提供することができる。
【００３８】
（第二実施形態）
続いて、本発明の第二実施形態に係る非常用鞄２について、図１１を参照しながら説明する。図１１は、第二実施形態に係る非常用鞄の斜視図である。非常用鞄２は、鞄本体５０以外の構成は、上記第一実施形態に係る非常用鞄１とほぼ同じであるため、同じ構成については説明を省略し、異なる構成についてのみ説明する。
【００３９】
鞄本体５０は、リュックサック型のナイロン製の鞄である。第二実施形態では、照明装置２０は、第一実施形態のように固定式ではなく、照明使用時には、ＬＥＤ照明部材２１を外部に取り出して使用するように構成されている。
【００４０】
このように、第二実施形態では、照明装置２０のＬＥＤ照明部材２１を鞄本体５０内に収容したり、外部に取り出したりするため、第二実施形態に係る照明装置２０は、上述した第一実施形態の拡散パネル２７の代わりに、ＬＥＤ２１２及び保持基板２１３を覆うビニール製で筒型の拡散チューブ２８を備えている。
【００４１】
第二実施形態によれば、上記第一実施形態と同様の作用効果を奏すると共に、リュックサック型の非常用鞄２であり、背負うことができるので、非常時に容易に持ち運ぶことができる。また、ＬＥＤ照明部材２１を鞄本体５０の外部に取り出して使用するため、手で持って移動させることができ、適宜所望の場所を照らす場合に適している。
また、ＬＥＤ照明部材２１は、非常用鞄に対して着脱式とすることもできる。これにより、任意の非常用鞄やその他の鞄、あるいは対象物に対して、ＬＥＤ照明部材を装着して、簡易的な照明として利用できる。ＬＥＤ照明部材の着脱には、例えば面ファスナや粘着テープ、あるいはフックとホック、その他の係止機構など、任意の着脱機構が適宜利用できる。
【００４２】
（第三実施形態）
続いて、本発明の第三実施形態に係る非常用鞄３について、図１２を参照しながら説明する。図１２は、第三実施形態に係る非常用鞄の斜視図である。非常用鞄３は、鞄本体６０以外の構成は、上記第二実施形態に係る非常用鞄３とほぼ同じであるため、同じ構成については説明を省略し、異なる構成についてのみ説明する。
【００４３】
鞄本体６０は、アタッシュケース型のナイロン製のソフトケースであり、開閉可能に連結された第一筐体６１と第二筐体６２とは、線ファスナー６６により開閉される。上記第二実施形態と同様に、本実施形態においても照明装置２０は、照明使用時にＬＥＤ照明部材２１を取り出して使用するように構成されている。
【００４４】
第三実施形態によれば、上記第一実施形態と同様の作用効果を奏すると共に、ＬＥＤ照明部材２１を鞄本体６０の外部に取り出して使用するため、手で持って移動させることができ、適宜所望の場所を照らす場合に適している。
（第四実施形態）
また、キャスター付きのバッグを非常用鞄として、これにＬＥＤ照明を付加することもできる。このような例を第四実施形態として、図１３の斜視図に示す。この図に示す非常用鞄４は、鞄本体４１０を縦長に構成し、その表面にＬＥＤ照明部材４２１を長手方向に沿った垂直姿勢に固定している。また鞄本体４１０は、硬質の樹脂製としてスーツケースのように十分な強度を発揮できる。ただ、用途に応じて鞄本体の材質をソフトケースとすることも可能であることはいうまでもない。また鞄本体４１０の上部には、ハンドル４０２を備えており、ハンドル４０２を把持して鞄本体４１０を押したり引いたりして、キャスター４０４で移動しやすくしている。キャスター４０４は、その回転軸を鞄本体４１０に固定する他、水平面内で任意の方向に旋回可能な首振り式のキャスターを利用することもできる。またハンドル４０２は、上面にボタン４０１を備えており、ボタン４０１を押すとロッド４０３が伸長して、ハンドル４０２の高さを所定の位置に変更できる。さらに必要に応じて、ＬＥＤ照明部材４２１のＯＮ／ＯＦＦを切り替える点灯スイッチを、ハンドル４０２や、鞄本体４１０の任意の位置に設けることもできる。
以上の例では、非常時持ち出し用の物品を収納する非常用鞄にＬＥＤ照明部材を付加した例を説明した。ただ本発明は、収納する対象物を非常時持ち出し用の物品に限らず、他の物品を収納する収納容器に対しても適用できる。このように、本発明はその名称に拘わらず、非常時持ち出し用の物品を収納する非常鞄に限らず、照明部材を設けた他の収納容器にも好適に利用できる。
【００４５】
以上、変形例も含めて本発明の第一〜第四実施形態について詳細に説明したが、本発明の実施の形態は上述した実施形態に限定されるものではなく、本発明の主旨を逸脱しない範囲内で種々の変形が可能である。例えば、非常用鞄を構成する各部材の形状やサイズ、素材等は、適宜変更可能であることは言うまでもない。
【００４６】
また、上記実施形態では、発電装置として、太陽電池を採用したが、風力発電装置等の他の発電装置を採用しても良い。
【符号の説明】
【００４７】
１、１’、２、３、４…非常用鞄
５…非常時持出品
１０、１０’、５０、６０、４１０…鞄本体
１１、１１’、６１…第一筐体
１１１…収納ポケット
１１３…開口
１２、６２…第二筐体
１５…取っ手
２０、２０’…照明装置
２１、４２１…ＬＥＤ照明部材
２１２…ＬＥＤ
２１３…保持基板
２５…ケーブル
２７、２７’…拡散パネル
２８…拡散チューブ
３０…蓄電装置
３１…リチウムイオン電池
３５…直流出力端子
３６…ＵＳＢ出力端子
３７…充電端子
４０…発電装置
４１…太陽電池
４１１…ソーラーパネル
４１２…パネル保持シート
４５…ケーブル
６６…線ファスナー
４０１…ボタン
４０２…ハンドル
４０３…ロッド
４０４…キャスター
【図１】
2014026876.tif 000003
【図２】
2014026876.tif 000004
【図３】
2014026876.tif 000005
【図４】
2014026876.tif 000006
【図５】
2014026876.tif 000007
【図６】
2014026876.tif 000008
【図７】
2014026876.tif 000009
【図８】
2014026876.tif 000010
【図９】
2014026876.tif 000011
【図１０】
2014026876.tif 000012
【図１１】
2014026876.tif 000013
【図１２】
2014026876.tif 000014
【図１３】
2014026876.tif 000015